(57)【要約】【課題】本発明は、万一、高所から落下しても落下衝撃による包装袋の破袋防止を可能とする、十分な落下強度を有する空気抜き機能を持つ包装袋を提供する。【解決手段】穀物類等を収納するプラスチックフィルムを主材とする包装袋において、前記包装袋のヒートシールによって形成される袋長手方向両サイドシール部の該袋長手方向中心近傍に、包装袋の縁部に向かってシール巾方向に一定の間隔で半円状の非シール部を複数個形成した半円状の非シール部領域を設け、該半円状の非シール部領域における両サイドシール部の内端縁部エッジ線上と該半円の中心が交差するように、該内端縁部エッジ線に対して１０〜４０度の角度で、前記半円の中心近傍に位置する該袋を貫通する任意の長さの直線状スリット（切れ目）を設けてなる半円状の非シール部を形成したことを特徴とする包装袋である。【選択図】図１
2004352294.tif 000002
【特許請求の範囲】
【請求項１】
穀物類等を収納するプラスチックフィルムを主材とする包装袋において、
前記包装袋のヒートシールによって形成される袋長手方向両サイドシール部の該袋長手方向中心近傍に、包装袋の縁部に向かってシール巾方向に一定の間隔で半円状の非シール部を複数個形成した半円状の非シール部領域を設け、該半円状の非シール部領域における両サイドシール部の内端縁部エッジ線上と該半円の中心が交差するように、該内端縁部エッジ線に対して１０〜４０度の角度で、前記半円の中心近傍に位置する該袋を貫通する任意の長さの直線状スリット（切れ目）を設けてなる半円状の非シール部を形成したことを特徴とする包装袋。
【請求項２】
前記直線状スリット（切れ目）が、前記半円状の非シール部領域における両サイドシール部の内端縁部エッジ線上と半円の中心が交差するように、該内端縁部エッジ線に対して３０度近傍の角度で、該半円の中心近傍に位置する該袋を貫通する任意の長さの直線状スリット（切れ目）であることを特徴とする請求項１記載の包装袋。
【請求項３】
前記袋長手方向両サイドシール部の該袋長手方向中心近傍に、包装袋の縁部に向かってシール巾方向に一定の間隔で設ける半円状の非シール部を、両サイドシール部に各々３個形成したことを特徴とする請求項１または２記載の包装袋。
【請求項４】
前記包装袋のヒートシールによって形成される袋長手方向両サイドシール部の該袋長手方向中心近傍に設ける、包装袋の縁部に向かってシール巾方向に一定の間隔で半円状の非シール部を複数個形成した半円状の非シール部領域を除く、袋長手方向両サイドシール部に、該両サイドシール部からの破袋を防止し得るシール強度を保持できる範囲の複数個の前記半円状の非シール部を設けたことを特徴とする請求項１〜３のいずれか１項に記載の包装袋。
【請求項５】
請求項４記載の包装袋において、
袋長手方向両サイドシール部の袋長手方向の端部近傍に各々１個、さらにもう一方の端部近傍に各々２個の半円状の非シール部を設けたことを特徴とする包装袋。
【請求項６】
前記半円状の非シール部における該半円が、直径１０ｍｍφの半円であることを特徴とする請求項１〜５のいずれか１項に記載の包装袋。
【請求項７】
前記直線状スリットの長さが、０．５〜５ｍｍの範囲を満たすことを特徴とする請求項１〜６のいずれか１項に記載の包装袋。
【請求項８】
前記両サイドシール部が、ベタ（全面）シールされていることを特徴とする請求項１〜７のいずれか１項に記載の包装袋。
【請求項９】
前記両サイドシール部が、部分的に任意の形状の非シール部からなるパタンシールされていることを特徴とする請求項１〜７のいずれか１項に記載の包装袋。
【請求項１０】
前記半円状の非シール部領域における両サイドシール部の内端縁部エッジ線が、該半円状の非シール部領域を除く両サイドシール部の内端縁部直線状エッジ線よりも包装袋の縁部側に設けられていることを特徴とする請求項１〜９のいずれか１項に記載の包装袋。
【請求項１１】
前記半円状の非シール部領域における両サイドシール部の内端縁部エッジ線が、該半円状の非シール部領域を除く両サイドシール部の内端縁部直線状エッジ線から２ｍｍ包装袋の縁部側に設けられていることを特徴とする請求項１０記載の包装袋。
【発明の詳細な説明】
【０００１】
【発明の属する技術分野】
本発明は、プラスチックフィルムを主体とする包装袋に関し、米などの穀物類等を入れて保管、輸送、陳列等する際に好適に用いられる包装袋に係わり、さらに詳細には、保管、輸送、陳列等において、万一、高所から落下しても落下衝撃による破袋防止を可能とする、十分な落下強度を有する空気抜き機能を持つ包装袋に関するものである。
【０００２】
【従来の技術】
米などの穀類を入れて市販するための袋として、従来、プラスチックフィルムやプラスチックシートなどがチューブ袋、三方シール袋、ガゼット袋等の形態で使用されている。このようなプラスチック製袋は、安価で大量生産できる上、密閉性に優れて丈夫であり、また、透明あるいは半透明であるため、袋の中の内容物を見ることができるという利点がある。例えば、米を長方形のプラスチック製袋に入れる場合、開放されている開口端部から袋内に米を入れた後、この開口端部をヒートシール溶着することで米を袋内に封入することができる。
【０００３】
上記のようにプラスチック製袋内に米などを入れてシールすると、袋内には米と一緒に空気も入るが、多量の空気が袋から抜けずに残留すると、嵩張るばかりでなく、穀物類を収納した包装袋を何段にも積み重ねる場合、穀物類を充填する際に空気が包装袋に密封されると包装袋は膨れ、重ね過ぎると上段の重量により下段の包装袋が破れて荷崩れするので極めて危険である。また、上に積み上げた重さや衝撃で袋が破裂し、米が流出してしまう危惧がある。
【０００４】
そのため、例えば、従来の穀物類を収納する包装袋として、図９に示すような、プラスチック製袋が特許文献１に開示されている。このプラスチック製袋は、図９（ａ）、（ｂ）に示すように、袋１４のシール部１６に適当な間隔で前記シール部１６のシール幅方向に袋の内側より部分的な非シール部１７を設け、該非シール部１７の表裏いずれか一方または両方の袋素材１５に通気孔１８を有する穀物用袋としたもので、直径１〜２ｍｍ程度の脱気用の通気孔１８を表面に数ヶ所あけることで、米等を入れて密封したとき、あるいはこれを積み上げたときに、袋の中の空気が抜けるようにしていた。しかしながら、前記通気孔１８が、直径１〜２ｍｍ程度の脱気用の孔は、当然１〜２ｍｍφ以下のザイズの埃や害虫等の異物が混入する危惧や、このような通気孔１８を有するプラスチック製袋に米などを入れて保管や輸送、あるいは陳列した場合、孔から埃が入るばかりでなく、袋が濡れたときなどに水が侵入してしまうなどの問題がある。
【０００５】
また、上記の問題点を解決するために、図１０に示すような、米など穀物類を収納する包装袋が特許文献２で提案されている。すなわち、図１０（ａ）、（ｂ）に示すように、この包装袋１９は、表裏各フィルム２０，２０′を貼り合せて包装袋を構成する。片面の表側のフィルム２０に２〜３ｍｍの切れ目２２を１ｍｍ以下の間隔をおいて連続的に形成し、この切れ目２２の部分をヒートシールする。ヒートシールによって形成される熱溶着部２１に凹部２３を間隔をおいて形成し、この凹部非溶着部２３を形成し、この非溶着部２３を切れ目２２の線上に跨がるように形成する。これにより、非溶着部２３に形成する切れ目２２のみが部分的に開口する。この切れ目２２は熱溶着部２１により裂けることなくスリット状に開口した状態を維持できるから、切れ目２２から米が抜け出さず、包装袋内の空気を確実に脱気できるものである。
【０００６】
さらに、米など穀物類を収納する包装袋として、図１１に示すような、精米用袋しての樹脂製袋が特許文献３に開示されている。この樹脂製袋は、図１１（ａ）に示すように、端部を溶着してなる樹脂製袋２４であって、通気用の複数の切れ目２６が、袋の溶着部２５の内側に沿って溶着部２５の長手方向に対して垂直に形成されているもので、前記通気用の切れ目２６が、０．５ｍｍから２０ｍｍの範囲内の長さを有し、かつ１ｍｍから１００ｍｍの間隔を設けて、前記袋の一方の面にのみ形成されているものである。
【０００７】
上記樹脂製袋２４において、例えば、切れ目２６の長さが２〜３ｍｍで、１ｍｍ間隔で溶着部２５の長手方向に対して垂直に設けたような場合は、切れ目２６間の間隔が狭く、袋に張力、衝撃が加わった場合、シール部２５の切れ、切れ目２６の広がりなどの問題が生ずる危惧がある。
【０００８】
また、上記樹脂製袋２４において、図１１（ｂ）に拡大して示すように、θが４５°ないし９０°の範囲で、溶着部２５の長手方向に対してクロスするように切れ目２８を形成することもできるが、溶着部２５に係る切れ目部２７では空気抜きができず、未シール部の切れ目部２６のみでの空気抜きでは不十分であって、袋内空気を十分に抜くためには、切れ目２８の長さを長くするかもしくは切れ目２８の間隔を狭くして、切れ目２８の数を多くしなければならない。これにより、袋に張力、衝撃が加わった場合、シール部の切れ、切れ目が広がり袋強度が低下し、破袋や外気の過剰の混入により、袋内の米などの内容物の劣化等の問題が生ずる危惧がある。
【０００９】
上記の特許文献２、３で提案されている米など穀物類を収納する包装袋および精米用樹脂製袋の問題点等を解決するために、図１２、１３に示すような、包装袋のシール部の切れ、カール、変形、およびスリット（切れ目）の裂けや広がり等の防止を可能し、かつ、埃が入らず、内容物がこぼれでない構造の包装袋が提案されている（特許文献４参照）。
【００１０】
すなわち、図１２（ａ）、（ｂ）に示すように、一例として、この包装袋２９は、包装袋のヒートシールによって形成される任意の形状の非シール部３２を部分的に有する袋長手方向両サイドシール部３０の内端縁部から包装袋の縁部に向かってシール巾方向に部分的に半円状の非シール部３２を形成し、その半円状の非シール部３２が、袋長手方向両サイドシール部３０の内端縁部エッジ線３７と半円の中心Ｃが交差するように、かつ各々の両サイドシール部で対向するように対称の位置に所定の間隔で各々８個の半円状非シール部３２を設け、さらに内端縁部エッジ線３７に対して、θが１０〜４０度の範囲の角度で、前記半円状中心Ｃとして袋の内側と外側に延びる袋を貫通する直線状スリット３３を、両サイドシール部で対向して対称となる位置に各々４個形成した穀物類を収納するプラスチックフィルムを主材とする包装袋である。
【００１１】
また、図１３に示す包装袋３８は、上記の図１２に示した包装袋２９の袋長手方向両サイドシール部３０が、シール部に部分的に任意の形状の非シール部３４を有するパターンシールであるのに対して、袋長手方向両サイドシール部３０をベタ（全面）シールしたものである。
【００１２】
以上説明したように、米などの穀類を収納して市販するための袋として、従来のいずれの包装袋も、包装袋のシール部の切れ、カール、変形、およびスリット（切れ目）の裂けや広がり等の防止を可能とし、かつ、埃が入らず、内容物がこぼれでない構造に改良されているものの、しかしながら、従来のいずれの包装袋も、米などの穀物類を収納して保管、輸送、陳列の際に、１ｍ程度の高所から包装袋の厚さ方向に落下（水平落下）する場合よりも、包装袋の長手方向に落下（垂直落下）する場合、特に、包装袋が破袋するという問題があった。そこで、米などの穀物類を収納して保管、輸送、陳列の際に、万一、１ｍ程度の高所から落下して、落下衝撃による包装袋の破袋防止を可能とする、十分な落下強度を有する包装袋の開発が望まれていた。
【００１３】
【特許文献１】
実開平１−７３１４４号公報
【特許文献２】
実用新案登録第３０４８０６８号公報
【特許文献３】
特開２００２−９６８４２号公報
【特許文献４】
特願２００２−２３２８２１
【００１４】
【発明が解決しようとする課題】
本発明は、上記問題点を解決するためになされたもので、米などの穀物類等を収納する包装袋において、シール部の切れ、カール、変形、およびスリット（切れ目）の裂けや広がり等の防止を可能とし、埃が入らず、内容物がこぼれでない構造からなり、米等の穀物類を収納して保管、輸送、陳列する際に、万一、高所から落下しても落下衝撃による包装袋の破袋防止を可能とする、十分な落下強度を有する空気抜き機能を持つ包装袋を提供することを目的とする。
【００１５】
【課題を解決するための手段】
本発明は、上記の目的を達成するために、請求項１に係る発明は、
穀物類等を収納するプラスチックフィルムを主材とする包装袋において、
前記包装袋のヒートシールによって形成される袋長手方向両サイドシール部の該袋長手方向中心近傍に、包装袋の縁部に向かってシール巾方向に一定の間隔で半円状の非シール部を複数個形成した半円状の非シール部領域を設け、該半円状の非シール部領域における両サイドシール部の内端縁部エッジ線上と該半円の中心が交差するように、該内端縁部エッジ線に対して１０〜４０度の角度で、前記半円の中心近傍に位置する該袋を貫通する任意の長さの直線状スリット（切れ目）を設けてなる半円状の非シール部を形成したことを特徴とする包装袋である。
【００１６】
また、請求項２に係る発明は、
前記直線状スリット（切れ目）が、前記半円状の非シール部領域における両サイドシール部の内端縁部エッジ線上と半円の中心が交差するように、該内端縁部エッジ線に対して３０度近傍の角度で、該半円の中心近傍に位置する該袋を貫通する任意の長さの直線状スリット（切れ目）であることを特徴とする請求項１記載の包装袋である。
【００１７】
また、請求項３に係る発明は、
前記袋長手方向両サイドシール部の該袋長手方向中心近傍に、包装袋の縁部に向かってシール巾方向に一定の間隔で設ける半円状の非シール部を、両サイドシール部に各々３個形成したことを特徴とする請求項１または２記載の包装袋である。
【００１８】
また、請求項４に係る発明は、
前記包装袋のヒートシールによって形成される袋長手方向両サイドシール部の該袋長手方向中心近傍に設ける、包装袋の縁部に向かってシール巾方向に一定の間隔で半円状の非シール部を複数個形成した半円状の非シール部領域を除く、袋長手方向両サイドシール部に、該両サイドシール部からの破袋を防止し得るシール強度を保持できる範囲の複数個の前記半円状の非シール部を設けたことを特徴とする請求項１〜３のいずれか１項に記載の包装袋である。
【００１９】
また、請求項５に係る発明は、
請求項４記載の包装袋において、
袋長手方向両サイドシール部の袋長手方向の端部近傍に各々１個、さらにもう一方の端部近傍に各々２個の半円状の非シール部を設けたことを特徴とする包装袋である。
【００２０】
また、請求項６に係る発明は、
前記半円状の非シール部における該半円が、直径１０ｍｍφの半円であることを特徴とする請求項１〜５のいずれか１項に記載の包装袋である。
【００２１】
また、請求項７に係る発明は、
前記直線状スリットの長さが、０．５〜５ｍｍの範囲を満たすことを特徴とする請求項１〜６のいずれか１項に記載の包装袋である。
【００２２】
また、請求項８に係る発明は、
前記両サイドシール部が、ベタ（全面）シールされていることを特徴とする請求項１〜７のいずれか１項に記載の包装袋である。
【００２３】
また、請求項９に係る発明は、
前記両サイドシール部が、部分的に任意の形状の非シール部からなるパタンシールされていることを特徴とする請求項１〜７のいずれか１項に記載の包装袋である。
【００２４】
また、請求項１０に係る発明は、
前記半円状の非シール部領域における両サイドシール部の内端縁部エッジ線が、該半円状の非シール部領域を除く両サイドシール部の内端縁部直線状エッジ線よりも包装袋の縁部側に設けられていることを特徴とする請求項１〜９のいずれか１項に記載の包装袋である。
【００２５】
また、請求項１１に係る発明は、
前記半円状の非シール部領域における両サイドシール部の内端縁部エッジ線が、該半円状の非シール部領域を除く両サイドシール部の内端縁部直線状エッジ線から２ｍｍ包装袋の縁部側に設けられていることを特徴とする請求項１０記載の包装袋である。
【００２６】
【発明の実施の形態】
本発明の包装袋の好ましい一実施例としての実施形態について図面を参照して以下に詳細に説明する。
図１は、本発明の包装袋の一例を示したもので、（ａ）は、その概略図であり、（ｂ）は、（ａ）に示した包装袋の半円状の非シール部領域Ａを拡大して示した拡大概略図である。また、図４は、本発明の包装袋の別の例を示した概略図である。
図１（ａ），（ｂ）に示すように、例えば、本発明の包装袋は、表裏各プラスチックフィルム８，８′をヒートシールして包装袋を構成する。包装袋１のヒートシールによって形成される袋長手方向両サイドシール部２の袋長手方向中心近傍に、包装袋の縁部に向かってシール巾方向に一定の間隔で半円状の非シール部４を各々３個形成した半円状の非シール部領域Ａにおける両サイドシール部２には台形形状の非シール部６を部分的設けたパターンシールされており、半円状の非シール部領域Ａを除く両サイドシール部２が、ベタ（全面）シールされており、この半円状の非シール部領域Ａにおける両サイドシール部の内端縁部エッジ線Ｓ１上と半円の中心Ｃが交差するように設け、この内端縁部エッジ線Ｓ１に対して、θが１０〜４０度の角度で、前記半円の中心Ｃから袋の内側と外側に延びる袋を貫通する直線状スリット（切れ目）５を前記半円状非シール部４に形成した穀物類を収納するプラスチックフィルムを主材とする開口部７を有する包装袋１である。
【００２７】
上記直線状スリット（切れ目）は、スリットの中点と半円の中心Ｃが１０〜４０度の角度で交わる例を示したが、これに限定されるものではなく、本発明における直線状スリット（切れ目）の位置は、かなずしもスリットの中点と半円の中心Ｃが交わる必要はなく、サイドシール部２に掛からず、半円状の非シール部領域Ａを除く両サイドシール部内縁端エッジ部Ｓ２よりも袋の内側にはみださない範囲の半円の中心近傍に位置すればよい。
【００２８】
上記包装袋１の半円状の非シール部領域Ａを除く両サイドシール部２に、この両サイドシール部２からの破袋を防止し得るシール強度を保持できる範囲の複数個の半円状の非シール部を設けたり、台形形状等の部分的に任意の形状の非シール部からなるパターンシールを施すこともできる。
【００２９】
すなわち、図４に示すように、本発明の包装袋の別の例として、表裏各プラスチックフィルム８，８′をヒートシールして包装袋を構成する。包装袋９のヒートシールによって形成される袋長手方向両サイドシール部２の袋長手方向中心近傍に、包装袋の縁部に向かってシール巾方向に一定の間隔で半円状の非シール部４を各々３個形成した半円状の非シール部領域Ａにおける両サイドシール部２には台形形状の非シール部６からなるパターンシールされており、さらに半円状の非シール部領域Ａを除く両サイドシール部２にも、袋長手方向上端部に各々１個、袋長手方向下端部に各々２個の非シール部４を設けて、さらに台形形状の非シール部６′からなるパターンシールが施されており、両サイドシール部の内端縁部エッジ線Ｓ１上と半円の中心Ｃが交差するように設け、この内端縁部エッジ線Ｓ１に対して、θが１０〜４０度の角度で、前記半円の中心Ｃから袋の内側と外側に延びる袋を貫通する直線状スリット（切れ目）５を前記半円状非シール部４に形成した穀物類を収納するプラスチックフィルムを主材とする開口部７を有する包装袋９である。
【００３０】
上記包装袋１，９において、上記半円状の非シール部領域における両サイドシール部の内端縁部エッジ線Ｓ１上と半円の中心Ｃが交差するように設け、その内端縁部エッジ線に対して、θが３０度近傍の角度で、半円の中心から袋の内側と外側に延びる袋を貫通する直線状スリット（切れ目）を半円状の非シール部に形成した包装袋は、米などの穀物類等を収納して、１ｍ程度の高所から包装袋の厚さ方向に落下（水平落下）した場合はもちろん、包装袋の長手方向に落下（垂直落下）した場合であっても、直線状スリット（切れ目）からの包装袋が破袋することがなく、さらに袋内の空気が抜け易く、θが３０度近傍の角度が特に好ましい。
【００３１】
そして、上記半円状の非シール部４を、袋長手方向両サイドシール部２の袋長手方向中心近傍に設けた半円状の非シール部領域Ａにおける両サイドシール部２に各々３個形成するのが好ましい。
【００３２】
さらに、上記直線状スリット（切れ目）５が、半円状の非シール部の半円の中心から袋の内側に２ｍｍ、袋の外側に２ｍｍ延びる直線状スリットであることが好ましい。
【００３３】
そして、袋長手方向両サイドシール部２の袋長手方向中心近傍に設けた複数個の半円状の非シール部領域Ａにおける両サイドシール部２の内端縁部エッジ線Ｓ１が、該半円状の非シール部領域Ａを除く両サイドシール部２の内端縁部直線状エッジ線Ｓ２よりも包装袋の縁部側に設け、上記半円状の非シール部領域における両サイドシール部の内端縁部エッジ線Ｓ１が、該半円状の非シール部領域を除く両サイドシール部の内端縁部直線状エッジ線Ｓ２から２ｍｍ包装袋の縁部側に設けるのが好ましい。
【００３４】
本発明において半円状の非シール部における半円状とは、湾曲状、真円状、楕円状を含むものであるが、直径１０ｍｍφの真円の半円であることが好ましい。
【００３５】
上記の包装袋１，９の半円状の非シール部領域Ａにおける両サイドシール部２には台形形状の非シール部６を部分的設けたパターンシールされている例を示したが、必要に応じて、半円状の非シール部領域の両サイドシール部２は、図２に示すように、ベタ（全面）シールしてもよい。また、半円状の非シール部領域Ａを除く両サイドシール部２が、ベタ（全面）シールもしくは部分的に任意の形状の非シール部からなるパタンシールしてもよい。
【００３６】
上記半円状の非シール部領域Ａの両サイドシール部２には台形形状の非シール部６，６′を部分的設けたパターン形状は上記の台形形状に限定されず任意の形状を採用することができる。
【００３７】
本発明の包装袋を構成する素材としては、内面がヒートシール性を有し、耐圧性に富んだ材料や機械的強度に優れた材料であれば、特に限定されるものではなく、例えば、延伸ナイロンフィルム（ＯＮｙ）／直鎖状低密度ポリエチレンフィルム（ＬＬＤＰＥ）、ＬＬＤＰＥ／ＬＬＤＰＥなどの積層フィルムが好ましく使用できる。
【００３８】
本発明の包装袋を構成する素材として、上記のＯＮｙ／ＬＬＤＰＥ積層フィルムを使用する場合は、袋長手方向中心近傍に設けた半円状の非シール部領域における両サイドシール部が、非シール部６を部分的に有するシール部もしくはベタシール部であっても良いが、ＬＬＤＰＥ／ＬＬＤＰＥ積層フィルムを使用する場合は、袋長手方向中心近傍に設けた半円状の非シール部領域における両サイドシール部が、ベタシール部を形成するとカールや波打ち等の変形が起り易いので、袋長手方向中心近傍に設けた半円状の非シール部領域における両サイドシール部に部分的に任意の形状からなるパターンシール部を形成するのが好ましい。
【００３９】
さらに、袋長手方向両サイドシール部の袋長手方向中心近傍に、半円状の非シール部を複数個設けた半円状の非シール部領域Ａにおける両サイドシール部の内端縁部エッジ線Ｓ１が、半円状の非シール部領域Ａを除く両サイドシール部２の内端縁部直線状エッジ線Ｓ２よりも包装袋の縁部側に設けらた構成とすることで、米等の穀物類を充填した包装袋が、袋長手方向に落下する垂直落下した場合、落下時の負荷を軽減することができ、直線状スリット（切れ目）５等からの破袋を防止することができる効果を奏する。
【００４０】
また、包装袋を貫通する通気用の直線状スリット（切れ目）５が、１０〜４０の角度、好ましくは３０度近傍の角度をなして形成されているために、米などの穀物類等の内容物による強い張力が、両サイドシール部長手方向に対して垂直方向に作用しても、直線状スリット（切れ目）５の裂けや広がり等発生することがない。
【００４１】
また、従来の包装袋に比較して通気用の直線状スリット（切れ目）を多数形成する必要がなく、複数個の半円状の非シール部領域Ａを袋長手方向両サイドシール部の袋長手方向中心近傍にのみ設け、半円状の非シール部領域Ａにおける両サイドシール部を除く両サイドシール部はベタシールし、さらに半円状の非シール部領域Ａにおける両サイドシール部の内端縁部エッジ線Ｓ１が、半円状の非シール部領域Ａにおける両サイドシール部２を除く両サイドシール部２の内端縁部直線状エッジ線Ｓ２よりも包装袋の縁部側に設けた構成としたことで、袋強度を維持できるので、包装袋内に米などの穀物類を入れて積み重ねあるいは保管、輸送、陳列した場合、落下などによる強い衝撃を受けても切れ目が裂け難く、極めて破れ難いので、埃が入らず、内容物を流出させることなく確実に袋の中に封入することができる。
【００４２】
上記で得られる本発明の包装袋は、このように製造した三方シール袋の開口端部から、内容物として例えば米などの穀物類を所定量充填して開口端部を溶着し、このようにして米などの穀物類を袋内に封入すると、図３に示すように、米などの穀物類（図示せず）と一緒に袋内に入った空気は、半円状の非シール部４に袋内の例えば米粒が侵入し、袋を貫通する直線状スリット（切れ目）５を通してエアーが容易に抜けるため、素早く袋の外に放出されので、従来の袋に比較して少ない個数スリット（切れ目）を形成するだけでよく、ヒートシールによって形成される袋長手方向両サイドシール部２の袋長手方向中心近傍のみに、包装袋の縁部に向かってシール巾方向に一定の間隔で半円状の非シール部４を複数個、例えば、両サイドシール部２に各々３個形成した半円状の非シール部領域Ａを設けるか、もしくは袋長手方向中心近傍に設けた半円状の非シール部領域を除く、両サイドシール部に、そのサイドシール部のシール強度を阻害しない程度の複数個の半円状の非シール部４を、例えば、袋長手方向上端部に各々１個、袋長手方向下端部に各々２個の非シール部４を設けて、半円状の非シール部領域Ａにおける両サイドシール部の内端縁部エッジ線Ｓ１上と半円の中心Ｃが交差するように設け、この内端縁部エッジ線Ｓ１に対して１０〜４０度の角度、好ましくは３０度近傍の角度で、前記半円の中心Ｃ近傍に位置する袋を貫通する直線状スリット（切れ目）を半円状の非シール部に形成し、半円状の非シール部領域Ａを除く両サイドシール部２をベタシール、もしくは袋長手方向中心近傍に設けた半円状の非シール部領域を除く、両サイドシール部に、その直線状両サイドシール部のシール強度を阻害しない程度の部分的に非シール部からなるパターンシールした構成とすることで、本発明の包装袋に米などの穀物類を収納して、包装袋を積み上げたり、あるいは輸送時等に衝撃を受けても、袋内に残留している空気は切れ目５を通じて放出されるので包装袋が破裂するようなおそれがなく、また、切れ目５が広がって中の米が流出するおそれもない。包装袋内に米などの穀物類等を収納して保管、輸送、陳列した場合、脱気効果を十分に発揮するとともに埃や害虫、あるいは水の侵入を効果的に防ぐことができる。落下などで強い衝撃を受けても非常に破れ難く、米などの穀物類を収納して安全に保管、輸送、陳列等することができる。
【００４３】
次に、本発明の包装袋の具体的な構成例について説明する。
図５は、本発明の包装袋の一例を示したもので、米などの穀物類等を約１０Ｋｇ程度収納するのに好適な包装袋である。（ａ）は、その概略図であり、（ｂ）は、（ａ）に示す包装袋の半円状の非シール部領域Ａを拡大して示した拡大概略図である。この包装体９は、開口端部７より２３８ｍｍ、底端部３より２３８ｍｍのヒートシールによって形成される袋長手方向両サイドシール部の袋長手方向中央近傍９４ｍｍの範囲に、包装袋の縁部に向かってシール巾方向に一定の間隔で直径１０ｍｍφの半円状の非シール部４を各々３個形成し、半円状の非シール部領域における両サイドシール部２には台形形状の非シール部６を部分的設けたパターンシールされており、半円状の非シール部領域を除く両サイドシール部２は、１０ｍｍの巾でベタ（全面）シールされており、この半円状の非シール部領域における両サイドシール部内端縁部エッジ線Ｓ１上と半円の中心Ｃが交差するように設け、この内端縁部エッジ線Ｓ１に対して、θが１０〜４０度の角度で、前記半円の中心Ｃから袋の内側に２ｍｍ、袋の外側に２ｍｍ延びる袋を貫通する直線状スリット（切れ目）５を前記半円状非シール部４に形成した穀物類を収納するプラスチックフィルムを主材とする包装袋９である。
【００４４】
そして、袋長手方向両サイドシール部２の袋長手方向中央近傍に設けた半円状の非シール部領域における両サイドシール部２の内端縁部エッジ線Ｓ１が、該半円状の非シール部領域を除く両サイドシール部の内端縁部直線状エッジ線Ｓ２よりも２ｍｍ包装袋の縁部側に設けられている。
【００４５】
また、図６は、本発明の包装袋の他の例を示したもので、米などの穀物類等を約１０Ｋｇ程度収納するのに好適な包装袋である。（ａ）は、その概略図であり、（ｂ）は、（ａ）に示す包装袋の半円状の非シール部領域Ａを拡大して示した拡大概略図である。この包装体９は、開口端部７より２３８ｍｍ、底端部３より２３８ｍｍのヒートシールによって形成される袋長手方向両サイドシール部の袋長手方向中央近傍９４ｍｍの範囲に、包装袋の縁部に向かってシール巾方向に一定の間隔で直径１０ｍｍφの半円状の非シール部４を各々３個形成し、半円状の非シール部領域における両サイドシール部２には部分的設けた台形形状の非シール部６からなるパターンシールされており、さらに半円状の非シール部領域Ａを除く両サイドシール部２にも、袋長手方向上端部に各々１個、袋長手方向下端部に各々２個の非シール部４を設けて、部分的に設けた台形形状の非シール部６′からなるパターンシールが施されており、この半円状の非シール部領域における両サイドシール部内端縁部エッジ線Ｓ１上と半円の中心Ｃが交差するように設け、この内端縁部エッジ線Ｓ１に対して、θが３０度の角度で、前記半円の中心Ｃから袋の内側に２ｍｍ、袋の外側に２ｍｍ延びる袋を貫通する直線状スリット（切れ目）５を前記半円状非シール部４に形成した穀物類を収納するプラスチックフィルムを主材とする包装袋１１である。
【００４６】
そして、袋長手方向両サイドシール部２の袋長手方向中央近傍に設けた半円状の非シール部領域における両サイドシール部２の内端縁部エッジ線Ｓ１が、該半円状の非シール部領域を除く両サイドシール部の内端縁部直線状エッジ線Ｓ２よりも２ｍｍ包装袋の縁部側に設けられている。
【００４７】
また、図７は、本発明の包装袋の他の例を示したもので、米などの穀物類等を約５Ｋｇ程度収納するのに好適な包装袋である。（ａ）は、その概略図であり、（ｂ）は、（ａ）に示す包装袋の半円状の非シール部領域Ａを拡大して示した拡大概略図である。この包装体１０は、開口端部７より１９６ｍｍ、底端部３より１９６ｍｍのヒートシールによって形成される袋長手方向両サイドシール部の袋長手方向中央近傍７８ｍｍの範囲に、包装袋の縁部に向かってシール巾方向に一定の間隔で、直径１０ｍｍφの半円状の非シール部４を各々３個形成し、半円状の非シール部領域における両サイドシール部２には部分的設けた台形形状の非シール部６からなるパターンシールされており、半円状の非シール部領域を除く両サイドシール部２が、１０ｍｍの巾でベタ（全面）シールされており、この半円状の非シール部領域における両サイドシール部の内端縁部エッジ線Ｓ１上と半円の中心Ｃが交差するように設け、この内端縁部エッジ線Ｓ１に対して、θが１０〜４０度の角度で、前記半円の中心Ｃから袋の内側に２ｍｍ、袋の外側に２ｍｍ延びる袋を貫通する直線状スリット（切れ目）５を前記半円状非シール部４に形成した穀物類を収納するプラスチックフィルムを主材とする包装袋１２である。
【００４８】
そして、袋長手方向両サイドシール部２の袋長手方向中央近傍に設けた半円状の非シール部領域における両サイドシール部の内端縁部エッジ線Ｓ１が、該半円状の非シール部領域を除く両サイドシール部の内端縁部直線状エッジ線Ｓ２よりも２ｍｍ包装袋の縁部側に設けられている。
【００４９】
さらに、図８は、本発明の包装袋の他の例を示したもので、米などの穀物類等を約５Ｋｇ程度収納するのに好適な包装袋である。（ａ）は、その概略図であり、（ｂ）は、（ａ）に示す包装袋の半円状の非シール部領域Ａを拡大して示した拡大概略図である。この包装体１３は、上記の図７に示した包装体１２の内端縁部エッジ線Ｓ１に対する角度θを、３０度としたものである。
【００５０】
上記の包装袋１０，１２，１３の袋長手方向中心近傍に設けた半円状の非シール部領域を除く、袋長手方向両サイドシール部に、必要に応じて、その両サイドシール部からの破袋を防止し得るシール強度を保持できる範囲の複数個の半円状の非シール部４を設けることができる
【００５１】
上記では、米などの穀物類を収納するプラスチックフィルムを主材とする包装体について説明したが、本発明の包装体は、好適な用途として、本発明に係る包装体の用途は米などの穀物類の収納に限定されず、麦、大豆、とうもろこし等の穀類のほか、果物類など、特に埃や害虫あるいは水の侵入が好ましくない食料品分野や、さらに園芸分野における土壌、肥料等、ペットトイレ用臭気吸着剤等を収納する包装袋として、これらを封入して保管、輸送、または陳列するために使用できる。また、袋の形態に関しても、長方形の一般的な形状に限定されず、正方形、台形等の形状の包装体とすることができ、その材質に関しても、プラスチックフィルムを主材とするものであれば特に限定されない。
【００５２】
なお、本発明の技術的思想と実質的に同一な構成を有し、同様な効果を奏する包装体であれば、上記実施形態に限定されるものではない。
【００５３】
【実施例】
以下、本発明の包装袋の実施例について説明する。
【００５４】
＜実施例１＞
包装袋を構成するプラスチックフィルム基材として、延伸ナイロンフィルム（ＯＮｙ）（厚さ１５μｍ）／直鎖状低密度ポリエチレンフィルム（ＬＬＤＰＥ）（厚さ６０μｍ）の積層フィルムを用いて、図５に示す構成の三方シール袋１０の開口端部から、内容物として米を１０ｋｇ充填して開口端部をヒートシール溶着して、米を収納した本発明の包装袋を得た。
【００５５】
＜実施例２＞
包装袋を構成するプラスチックフィルム基材として、延伸ナイロンフィルム（ＯＮｙ）（厚さ１５μｍ）／直鎖状低密度ポリエチレンフィルム（ＬＬＤＰＥ）（厚さ６０μｍ）の積層フィルムを用いて、図６に示す構成の三方シール袋１１の開口端部から、内容物として米を１０ｋｇ充填して開口端部をヒートシール溶着して、米を収納した本発明の包装袋を得た。
【００５６】
＜比較例１＞
包装袋を構成するプラスチックフィルム基材として、延伸ナイロンフィルム（ＯＮｙ）（厚さ１５μｍ）／直鎖状低密度ポリエチレンフィルム（ＬＬＤＰＥ）（厚さ６０μｍ）の積層フィルムを用いて、図５に示す構成の三方シール袋１０の開口端部から、内容物として米を１０ｋｇ充填して開口端部をヒートシール溶着して、米を収納した包装袋を得た。
【００５７】
上記実施例１および比較例１で得られた米を収納した包装袋について下記に示す試験方法に基づいて落下試験およびエア抜き排気性試験を行って評価した。その評価結果を表１に示した。
【００５８】
〈落下試験方法〉
１ｍの高さから米を収納した包装袋を、袋長手方向に落下（垂直落下）させた場合および袋厚さ方向に落下（水平落下）させた場合の破袋の有無を観察した。（落下回数最大１０回）
【００５９】
〈エア抜き排気性試験方法〉
米を収納した包装袋にエアを最大量入っている状態から、袋厚さ方向に手で押して完全に脱気するまでの時間を測定した。
【００６０】
【表１】
2004352294.tif 000003
【００６１】
表１より、本発明の包装袋は、特に落下強度に優れるものである。従って、本発明の包装袋は、落下などで強い衝撃を受けても非常に破れ難く、米などの穀物類等を収納して安全に保管、輸送、陳列等することができる。
【００６２】
【発明の効果】
本発明の包装袋は、特に、直線状スリット（切れ目）を設けてなる複数個の半円状の非シール部領域を袋長手方向両サイドシール部の袋長手方向中心近傍にのみ設け、さらに必要に応じて、袋長手方向中心近傍に設けた半円状の非シール部領域を除く両サイドシール部にも、その両サイドシール部からの破袋を防止し得るシール強度を保持できる範囲の複数個の半円状の非シール部を設けることができる構成からなり、上記の直線状スリット（切れ目）が、両サイドシール部の内端縁部エッジ線上と該半円の中心が交差するように、その内端縁部エッジ線に対して１０〜４０度の角度、好ましくは３０度近傍の角度で、半円の中心近傍に位置する袋を貫通する直線状スリット（切れ目）を設けてなる半円状の非シール部を形成した構造で、しかも半円状の非シール部領域における両サイドシール部の内端縁部エッジ線が、半円状の非シール部領域における両サイドシール部を除く両サイドシール部の内端縁部直線状エッジ線よりも包装袋の縁部側に設けられているので、包装袋のシール部の切れ、カール、変形、およびスリット（切れ目）の裂けや広がり等の防止を可能とし、かつ埃が入らず、内容物がこぼれでない構造からなり、包装袋を貫通する通気用の直線状スリット（切れ目）を通してエアーが容易に素早く抜け、万一包装袋が袋厚さ方向に落下（水平落下）した場合はもちろん、袋長手方向に落下（垂直落下）した場合であっても、落下などで強い衝撃を受けても非常に破れ難い、十分な落下強度を有する、米などの穀物類等を収納して安全に保管、輸送、陳列等するのに好適な空気抜き機能を有する包装袋を提供することができる。
【００６３】
また、本発明の包装袋は、米などの穀物類以外に、麦、大豆、とうもろこし等の穀類のほか、果物類など、特に埃や害虫あるいは水の侵入が好ましくない食料品、園芸分野の土壌、肥料、ペットトイレ用臭気吸着剤等を収納して、保管、輸送、または陳列するための包装袋として好適に使用できるものである。
【図面の簡単な説明】
【図１】本発明の一実施例としての包装袋を示したものであり、
（ａ）は、その包装袋の概略図である。
（ｂ）は、（ａ）に示す包装袋のシール部付近を拡大して示した概略図である。
【図２】本発明の包装袋におけるシール部の一例を説明する説明図である。
【図３】本発明の包装袋における直線状スリット（切れ目）を通してエアー抜きを説明する説明図である。（図１に示しすＸ―Ｘ′線断面図）
【図４】本発明の一実施例としての包装袋を示したものであり、
（ａ）は、その包装袋の概略図である。
（ｂ）は、（ａ）に示す包装袋の袋長手方向両サイドシール部の袋長手方向中心近傍を拡大して示した拡大概略図である。
【図５】本発明の一実施例としての包装袋を示したものであり、
（ａ）は、その包装袋の概略図である。
（ｂ）は、（ａ）に示す包装袋の袋長手方向両サイドシール部の袋長手方向中心近傍を拡大して示した拡大概略図である。
【図６】本発明の一実施例としての包装袋を示したものであり、
（ａ）は、その包装袋の概略図である。
（ｂ）は、（ａ）に示す包装袋の袋長手方向両サイドシール部の袋長手方向中心近傍を拡大して示した拡大概略図である。
【図７】本発明の一実施例としての包装袋を示したものであり、
（ａ）は、その包装袋の概略図である。
（ｂ）は、（ａ）に示す包装袋の袋長手方向両サイドシール部の袋長手方向中心近傍を拡大して示した拡大概略図である。
【図８】本発明の一実施例としての包装袋を示したものであり、
（ａ）は、その包装袋の概略図である。
（ｂ）は、（ａ）に示す包装袋の袋長手方向両サイドシール部の袋長手方向中心近傍を拡大して示した拡大概略図である。
【図９】従来の穀物を収納する包装袋の一例を示したもので、
（ａ）は、その包装袋の概略図である。
（ｂ）は、（ａ）に示す包装袋の非シール部に設けた通気孔の一部を示す概略図である。
【図１０】従来の穀物を収納する包装袋の一例を示したもので、
（ａ）は、その包装袋の概略図である。
（ｂ）は、（ａ）に示す包装袋のＸ―Ｘ′線概略断面図である。
【図１１】従来の穀物を収納する包装袋の一例を示したもので、
（ａ）は、その包装袋の概略図である。
（ｂ）は、その包装袋に設けた一例としての切れ目部の一部を拡大して示す概略図である。
【図１２】従来の穀物を収納する包装袋の一例を示したもので、
（ａ）は、その包装袋の概略図である。
（ｂ）は、（ａ）に示した包装袋のＢ領域を拡大して示す概略図である。
【図１３】図１２の穀物を収納する包装袋の一実施例を示す概略図であり、
【符号の説明】
１、９、１０、１１、１２、１３、１４、１９、２４、２９、３８‥‥包装袋
２、３０、３９‥‥サイドシール部
３、３１‥‥地シール部
４、３２‥‥半円状の非シール部
５、２２、２６、２７、２８、３３‥‥スリット（切れ目）
６、６′、３４‥‥シール部に部分的に設けられた非シール部
７、２７、３５‥‥開口端部
８，８′、２０，２０′、３６，３６′‥‥袋素材（プラスチックフィルム）
１６、２１、２５‥‥シール部（溶着部）
１７、２３‥‥凹状非シール部
１８‥‥通気孔
３７‥‥両サイドシール部の内端縁部エッジ線
Ａ‥‥半円状の非シール部領域
Ｂ‥‥両サイドシール部の一部拡大する領域
Ｃ‥‥半円の中心
Ｓ１‥‥半円状の非シール部領域における両サイドシール部の内端縁部エッジ線
Ｓ２、‥‥半円状の非シール部領域を除く両サイドシール部の内端縁部直線状エッジ線
θ‥‥スリット（切り目）の傾斜角
【図１】
2004352294.tif 000004
【図２】
2004352294.tif 000005
【図３】
2004352294.tif 000006
【図４】
2004352294.tif 000007
【図５】
2004352294.tif 000008
【図６】
2004352294.tif 000009
【図７】
2004352294.tif 000010
【図８】
2004352294.tif 000011
【図９】
2004352294.tif 000012
【図１０】
2004352294.tif 000013
【図１１】
2004352294.tif 000014
【図１２】
2004352294.tif 000015
【図１３】
2004352294.tif 000016